(57)【要約】【課題】  スクリーンが所望の昇降位置で停止して、窓の遮蔽面積を任意に設定できると共に、スクリーンの停止位置でスクリーンの下端部が窓の前後方向に所望の距離を移動し、スクリーンと窓との間の空間の換気ができ、かつ雨天時においても庇として雨の侵入を防止することが可能な窓の日射遮蔽装置とする。【解決手段】  窓１の屋外側で窓１の上部に設置され、上端部が付勢手段により巻取方向に付勢された巻取軸７に固定され、下端部を巻取軸７から引き下げることにより、スクリーン６が巻取軸７から引き出されるロールスクリーン３を備えた窓の日射遮蔽装置において、窓１の屋外側の両側に上下方向にガイドレール１２を設ける。ガイドレール１２にガイドレール１２を昇降しスクリーン６を上下動させる左右一対の同一動するスライダー１３を、ストッパーで所望の昇降位置に停止可能に設ける。スライダー１３の停止位置でスクリーン６の下端部を窓１の前後方向に所望の距離を移動可能とする。【選択図】  図１
2005273314.tif 000002
【特許請求の範囲】
【請求項１】
窓の屋外側で窓の上部に設置され、上端部が付勢手段により巻取方向に付勢された巻取軸に固定され、下端部を巻取軸から引き下げることにより、スクリーンが巻取軸から引き出されるロールスクリーンを備えた窓の日射遮蔽装置において、窓の屋外側の両側に上下方向にガイドレールが設けられ、このガイドレールにガイドレールを昇降しスクリーンを上下動させる左右一対の同一動するスライダーがストッパーで所望の昇降位置に停止可能に設けられ、前記スライダーの停止位置でスクリーンの下端部が窓の前後方向に所望の距離を移動可能に構成されていることを特徴とする窓の日射遮蔽装置。
【請求項２】
スクリーンの下端部付近にスクリーンの下端縁に沿って縁部材が固着されると共に、前記スライダー間にスライダーを昇降させる操作バーが回動可能に設けられ、この操作バーの回動で操作バーに係合することにより前記ガイドレールに圧接し、スライダーを停止させるストッパーがスライダーに設けられると共に、スライダーと一緒に昇降すると共に、前記縁部材の端部と連結し、スクリーンの下端部を窓の前後方向に所定の距離を移動させる移動手段が設けられていることを特徴とする請求項１記載の窓の日射遮蔽装置。
【請求項３】
移動手段は両スライダー間に正逆回転可能に渡設され、両側に相対向して逆方向の螺子部が刻設された回転軸と、この回転軸の前記螺子部に移動可能に螺合された一対の誘導ナットと、この誘導ナットに基端部を水平方向に回動可能に連結され、先端部をスクリーンの前記縁部材に水平方向に回動可能に連結された一対の開閉腕を備え、この一対の開閉腕の基端部が同時に回転軸の端部側へ移動する方向へ回転軸が回転すると、開閉腕が開いてスクリーンの下端部が窓から離れる方向へ移動し、一対の開閉腕の基端部が同時に回転軸の中央部側へ移動する方向へ回転軸が回転すると、開閉腕が閉じてスクリーンの下端部が窓に接近する方向へ移動することを特徴とする請求項２記載の窓の日射遮蔽装置。
【請求項４】
回転軸に固定ガイド車が設けられると共に、窓の上部側及び窓の下部側に滑車が回動可能に設けられ、前記固定ガイド車に無端の操作紐が巻回されると共に、この操作紐が両滑車に掛け渡され、ストッパーによるスライダーの停止時に、操作紐の移動操作により回転軸が正逆回転することを特徴とする請求項３記載の窓の日射遮蔽装置。
【請求項５】
操作バーにハンドルが設けられていることを特徴とする請求項２から４のいずれかに記載の窓の日射遮蔽装置。
【発明の詳細な説明】
【技術分野】
【０００１】
本発明は、建築物の窓の屋外側にロールスクリーンを備え、日射を遮蔽する窓の日射遮蔽装置に関するものである。
【背景技術】
【０００２】
建築物の窓からの日射の侵入による室温の上昇は、特に夏期においては冷房機器の消費電力の上昇を招き、このため省エネルギー対策として日射が窓ガラスを通過する前に遮蔽し、窓ガラスに吸収される熱量を減少し、スクリーンに吸収された熱も屋外で放出される遮蔽効率のよい外付けの日射遮蔽装置が知られている。
ところで、日射遮蔽装置は、太陽光の高さに応じて窓の遮蔽面積を任意に設定することにより、採光量、視界、日射遮蔽を任意に調整されることが必要である。
又、スクリーンに吸収された熱はスクリーンと窓ガラスとの間に滞留すると、スクリーンに吸収された熱が放射された場合に、スクリーンと窓ガラスの距離が近いことにより室内側も影響を受け、室温の上昇を招く結果となっている。このためスクリーンと窓との間の空間の換気が必要である。
【０００３】
そこで、上記の窓の遮蔽面積を任意に設定することができる日射遮蔽装置として、従来、特開２００２−２５６７８６の窓の日射遮蔽装置が提案されている。
この装置は、窓の遮蔽面積を任意に設定することを可能とされているが、スクリーンと窓との間の空間を積極的に換気できる機能を有するものではない。
【０００４】
又、上記のスクリーンと窓との間の空間の換気を図った日射遮蔽装置として、従来、特開２０００−２１３１３１の日射遮蔽装置が提案されている。
この装置は、建築物の窓の上から屋外側にスクリーンを支持する支持部材を延出し、この支持部材にスクリーンと窓との間に広い間隔があけられ、支持部材に通気孔が設けられ、スクリーンと窓との間の空気を通気孔から上方へ流出できるように構成され、スクリーンの上端部と窓の距離を変更自在としているが、降雨時に通気孔から雨が侵入し、窓が開いていると室内に雨が侵入する恐れがある。しかし、スクリーンは任意位置で昇降を停止できる機能を有するものではない。
【特許文献１】特開２００２−２５６７８６
【特許文献２】特開２０００−２１３１３１
【発明の開示】
【発明が解決しようとする課題】
【０００５】
上記点より本発明は、スクリーンが所望の昇降位置で停止して窓の遮蔽面積を任意に設定できると共に、スクリーンの停止位置でスクリーンの下端部が窓の前後方向に所望の距離を移動し、スクリーンと窓との間の空間の換気ができ、かつ雨天時においても庇として雨の室内への侵入を防止することが可能な窓の日射遮蔽装置を提供しようとするものである。
【課題を解決するための手段】
【０００６】
上記課題を解決するため、請求項１記載の本発明窓の日射遮蔽装置は、窓の屋外側で窓の上部に設置され、上端部が付勢手段により巻取方向に付勢された巻取軸に固定され、下端部を巻取軸から引き下げることにより、スクリーンが巻取軸から引き出されるロールスクリーンを備えた窓の日射遮蔽装置において、窓の屋外側の両側に上下方向にガイドレールが設けられ、このガイドレールにガイドレールを昇降しスクリーンを上下動させる左右一対の同一動するスライダーがストッパーで所望の昇降位置に停止可能に設けられ、前記スライダーの停止位置でスクリーンの下端部が窓の前後方向に所望の距離を移動可能に構成されていることを特徴とするものである。
【０００７】
このような構成とすることにより、スクリーンが所望の昇降位置で停止するため、太陽光の高さに応じて窓の遮蔽面積を任意に設定でき、これにより季節、天候の状況に応じて採光量、視界、日射遮蔽を任意に調整可能であると共に、スクリーンの停止位置でスクリーンの下端部が所望の距離を窓の前後方向へ移動し、スクリーンと窓の間の空間の広さを調整して、空間の熱を効率良く換気できると共に日射角度にも対応できるため、室温の上昇を防止できる。
又、スクリーンの下端部を窓から離れる方向へ移動することにより、日射のみならず、雨天時に庇としての機能を有し、窓が開いていても雨の侵入が防止され、室内の換気も図れる。
【０００８】
次に、請求項２記載の本発明窓の日射遮蔽装置は、請求項１記載の窓の日射遮蔽装置において、スクリーンの下端部付近にスクリーンの下端縁に沿って縁部材が固着されると共に、前記スライダー間にスライダーを昇降させる操作バーが回動可能に設けられ、この操作バーの回動で操作バーに係合することにより前記ガイドレールに圧接し、スライダーを停止させるストッパーがスライダーに設けられると共に、スライダーと一緒に昇降すると共に、前記縁部材の端部と連結し、スクリーンの下端部を窓の前後方向に所定の距離を移動させる移動手段が設けられていることを特徴とするものである。
【０００９】
このような構成とすることにより、操作バーを引き下げてスクリーンを所望の位置まで至った時に操作バーを回動すれば、この回動で操作バーがストッパーに係合してストッパーがガイドレールに圧接し、摩擦力によりスライダーが停止するので、所望の昇降位置にスクリーンを停止できる。
そして、スライダーと一緒に昇降すると共に、スクリーンの下端部と連結する移動手段により、スクリーンの下端部を窓の前後方向に所望の距離を移動し、スクリーンと窓の間の空間の広さを調整できる。これにより、請求項１の窓の日射遮蔽装置と同様の機能を有する。
【００１０】
次に、請求項３記載の本発明窓の日射遮蔽装置は、請求項２記載の窓の日射遮蔽装置において、移動手段は両スライダー間に正逆回転可能に渡設され、両側に相対向して逆方向の螺子部が刻設された回転軸と、この回転軸の前記螺子部に移動可能に螺合された一対の誘導ナットと、この誘導ナットに基端部を水平方向に回動可能に連結され、先端部をスクリーンの前記縁部材に水平方向に回動可能に連結された一対の開閉腕を備え、この一対の開閉腕の基端部が同時に回転軸の端部側へ移動する方向へ回転軸が回転すると、開閉腕が開いてスクリーンの下端部が窓から離れる方向へ移動し、一対の開閉腕の基端部が同時に回転軸の中央部側へ移動する方向へ回転軸が回転すると、開閉腕が閉じてスクリーンの下端部が窓に接近する方向へ移動することを特徴とするものである。
【００１１】
このような構成とすることにより、スクリーンの下端部を窓から離れる方向へ移動する時は、開閉腕が開く方向へ回転軸を回転すればよく、逆にスクリーンの下端部を窓に接近する方向へ移動する時は、開閉腕が閉じる方向へ回転軸を回転すればよく、回転軸を正逆回転するだけで開閉腕が開閉し、スクリーンの下端部を窓の前後方向に所望の距離を確実に移動できる。
【００１２】
次に、請求項４記載の本発明窓の日射遮蔽装置は、請求項３記載の窓の日射遮蔽装置において、回転軸に固定ガイド車が設けられると共に、窓の上部側及び窓の下部側に滑車が回動可能に設けられ、前記固定ガイド車に無端の操作紐が巻回されると共に、この操作紐が両滑車に掛け渡され、ストッパーによるスライダーの停止時に、操作紐の移動操作により回転軸が正逆回転することを特徴とするものである。
【００１３】
このような構成とすることにより、簡単な構成であると共に、操作紐の移動操作により回転軸が正逆回転し、操作も容易である。
【００１４】
次に、請求項５記載の本発明窓の日射遮蔽装置は、請求項２から４のいずれかに記載の窓の日射遮蔽装置において、操作バーにハンドルが設けられていることを特徴とするものである。
【００１５】
このような構成とすることにより、操作バーの回動操作がし易くなる。
【発明の効果】
【００１６】
請求項１記載の本発明窓の日射遮蔽装置によれば、スクリーンが所望の昇降位置で停止するため、太陽光の高さに応じて窓の遮蔽面積を任意に設定でき、これにより季節、天候の状況に応じて採光量、視界、日射遮蔽を任意に調整可能となる。
又、スクリーンの停止位置でスクリーンの下端部が所望の距離を窓の前後方向へ移動し、スクリーンと窓の間の空間の広さを調整して空間の熱を効率良く換気できるため、室温の上昇を防止でき、冷房機器の消費電力の更なる低減を図ることができる効果を有する。  又、スクリーンの昇降停止位置が同じでも、スクリーンと窓の間の距離を変えることで熱の換気のみならず、日差しの角度に対応させることができる効果を有する。
更に、スクリーンの下端部を窓から離れる方向へ移動することにより、日射のみならず、雨天時に傾斜した庇としての機能を有し、窓が開いていても雨の侵入が防止され、室内の換気も図ることができる効果を有する。
【００１７】
請求項２記載の本発明窓の日射遮蔽装置によれば、操作バーを回動するだけでスライダーが停止するので、簡単な操作でスクリーンを所望の昇降位置に停止できると共に、スライダーと一緒に昇降し、スクリーンの下端部と連結する移動手段により、スクリーンの下端部を窓の前後方向に所望の距離を移動し、スクリーンと窓の間の空間の広さを調整できるので、請求項１の窓の日射遮蔽装置と同様の効果を有する。
【００１８】
請求項３記載の本発明窓の日射遮蔽装置によれば、回転軸を正逆回転するだけで開閉腕が開閉し、スクリーンの下端部を窓の前後方向に所望の距離を確実に移動させることができ、操作が容易である。
【００１９】
請求項４記載の本発明窓の日射遮蔽装置によれば、簡単な構成であると共に、操作紐の引き下げにより回転軸が正逆回転し、操作も容易である。
【００２０】
請求項５記載の本発明窓の日射遮蔽装置によれば、操作バーの回動操作がし易くなる。
【発明を実施するための最良の形態】
【００２１】
以下、本発明の一実施の形態を添付図面を参照して説明する。
図１は本発明窓の日射遮蔽装置の一実施の形態を示す全体斜視図、図２は同上の一部省略した横断平面図、図３は同上の一部省略した縦断側面図である。
【００２２】
本発明の日射遮蔽装置は、建築物の窓１が設けられた外壁２の窓１の上辺に沿ってロールスクリーン３が取り付けられている。
ロールスクリーン３は下面に繰り出し用の開口を有する横長のスクリーンボックス４内に収納され、スクリーンボックス４の両側の側板５にスクリーン６の巻取軸７が回動可能に挿通され、この巻取軸７の側板５より突出した両端部に付勢手段である平巻きバネ８の一端が固定され、平巻きバネ８の他端は側板５に固定され、平巻きバネ８はスクリーン６が巻き上がった状態で縮小しており、スクリーン６が下がると伸長し、スクリーン６は常に巻き上がるよう巻取軸７は平巻きバネ８で巻取方向に付勢されている。
【００２３】
巻取軸７にスクリーン６の上端部が固定され、スクリーン６の内側下端部付近にスクリーン６の下端縁に沿って丸棒状の縁部材９が、スクリーン６の外側より縁部材９の長手方向に沿って断面が縁部材９の外周の一部に沿うように弧面に形成されたスクリーン押え１０で当接され、ビス１１で固着されている。
【００２４】
スクリーン６は日射を遮ることができ、かつ巻取軸７に巻取可能なものであれば材質を問わないが、耐候性、耐水性、難燃性等の性質を有するシート状のものが好ましい。
又、スクリーン６は完全な遮光性を有するものとしても良いが、可視光の一部を透過するものとしても良い。
【００２５】
窓１の両側の外壁２の上下方向に窓１の側縁と平行して左右一対のガイドレール１２が固定されている。
ガイドレール１２は断面が略Ｉ型で、外壁２に固定される基部側板部１２ａは後に説明するスライダー１３が掴持する先部側板部１２ｂよりも巾広に形成されている。
【００２６】
スライダー１３は方形体で、一側にガイドレール１２の先部側板部１２ｂにスライド可能に掴持する溝１４が上下方向に形成されている。
両側のスライダー１３は、両側のスライダー１３間でガイドレール１２側寄りに渡し掛けた操作バー１５の両端部が、スライダー１３に回動可能に挿通されていることにより連結され、操作バー１５を掴んで上下移動することで、両側のスライダー１３は同時に昇降する。
【００２７】
操作バー１５は丸棒状で、スライダー１３に挿通された両端部は小径で、円周の一部が長手方向に切除された平坦部１５ａに形成されている（図４）。
又、操作バー１５の一方の端部側寄りにハンドル１６が固定され、操作バー１５の回動を容易にしている。
【００２８】
上記スライダー１３の溝１４でガイドレール１２の先部側板部１２ｂの前面に接触する壁面に、略中央部より下方が切除された凹部１７が形成され、この凹部１７内にストッパーである波形の平バネ１８が上部をビス１９で固定され、この凹部１７に操作バー１５の挿通孔１８と連通する開口１７ａが形成されている（図４）。
【００２９】
この開口１７ａは操作バー１５の端部の円周面は開口１７ａより凹部１７内に突出するが、平坦部１５ａは突出しないように形成されている。
そして、操作バー１５を回動し、操作バー１５の円周面が開口１７ａから突出すると平バネ１８を円周面が押し、平バネ１８をガイドレール１２の前面に圧接し、摩擦力によりストッパーでスライダー１３の移動を阻止するように構成されている。
そして、操作バー１５を回動し、平坦部１５ａが開口１７ａに位置すると、平バネ１８は操作バー１５の円周面との係合が解かれ、復帰してガイドレール１２から離れ、ストッパーが解除されたスライダー１３は昇降可能となる。
【００３０】
又、両側のスライダー１３間に回転軸２０が設けられ、その両端部が回動可能にスライダー１３に挿通されている。スライダー１３に挿通された両端部は小径に形成されている。回転軸２０は両側に相対向して逆方向の螺子部２０ａが刻設され、この両側の螺子部２０ａに方形体の誘導ナット２１がそれぞれ逆方向に移動可能に螺合している。螺子部２０ａの長さは後に説明する開閉腕２８の長さ分あればよい。
【００３１】
回転軸２０の回転は、回転軸２０の一方の端部寄りに固定ガイド車２２が固設され、この固定ガイド車２２の上方でスクリーンボックス４の下面に下向きに上部滑車２３が設けられると共に、固定ガイド車２２の下方で窓１の外壁２に下部滑車２４が設けられている。そして、固定ガイド車２２に無端の操作紐２５が１回巻回されると共に、上部滑車２３及び下部滑車２４に緊張状態で掛け渡され、ストッパーによるスライダー１３の停止時に掛け渡された操作紐２５の何れか一方の側を引き下げ等の移動操作により固定ガイド車２２が回転し、固定ガイド車２２と一体の回転軸２０が回転するように構成されている。掛け渡された操作紐５の他方の側を引き下げれば、回転軸２０は反対側へ回転する。尚、上部滑車２３及び下部滑車２４は窓枠に取り付けても良い。
【００３２】
この回転軸２０の回転によって、回転軸２０の螺子部２０ａに螺合する誘導ナット２１は螺子部２０ａを移動するが、誘導ナット２１が回転軸２０と一緒に回転しないよう回転軸２０を挾んで前後に誘導ナット２１に回転軸２０と平行して２本の回転止棒２６が貫通し、その端部は両側のスライダー１３に挿通されている。
【００３３】
両側の誘導ナット２１の上面及び下面に軸２７が突設され、この両側の誘導ナットの上下の軸２７に細長い板状の上下の開閉腕２８の基端部がそれぞれ水平方向に回動可能に軸着されている。
開閉腕２８の先端部はスクリーン６の下端部付近に固着した縁部材９の端部の上面及び下面に突設した軸２９にそれぞれ水平方向に回動可能に軸着されている。縁部材９の両端部は上面及び下面が平坦に形成されている。
【００３４】
この開閉腕２８は、開閉腕２８の基端部と連結する誘導ナット２１が回転軸２０の端部側へ移動する方向へ回転軸２０が回転すると、開閉腕２８が開いてスクリーン６の下端部が窓１から離れる方向に移動し、誘導ナット２１が回転軸２０の中央部側へ移動する方向へ回転軸２０が回転すると、開閉腕２８が閉じてスクリーン６の下端部が窓１に接近する方向へ移動するように構成されている。
【００３５】
次に、このような構成を有する日射遮蔽装置の使用方法を説明する。
日射を遮蔽しない場合は、スライダー１３がガイドレール１２の上方に停止し、開閉腕２８はその基端部が軸着されている誘導ナット２１が螺子部２０ａの回転軸２０の中央部側寄りに移動し閉じた状態になっており、スクリーン６の下端部は窓１に最も接近している（図２の２点鎖線に示す）。
又、スライダー１３は、操作バー１５の端部の円周面がスライダー１３の凹部１７の開口１７ａから突出して平バネ１８を押し、平バネ１８はガイドレール１２に圧接し、このストッパーによりスライダー１３は移動が阻止されている。
【００３６】
日射を遮蔽する場合は、操作バー１５のハンドル１６を握って、操作バー１５を回動して、操作バー１５の端部の平坦部１５ａがガイドレール１２の前面と平行となるようにして操作バー１５の円周面と平バネ１８との係合を解けば、平バネ１８は弾力で復帰し、ガイドレール１２の前面が離れるのでストッパーが解除され、スライダー１３は移動が可能となる。
【００３７】
そして、操作バー１５を両手で持ち所望の位置まで引き下げれば、スライダー１３と一緒にスクリーン６の下端部が巻取軸７の平巻きバネ８の不勢力に抗して下降する。
この下降位置で再び操作バー１５のハンドル１６を握って、操作バー１５を回動して操作バー１５の端部の円周面をスライダー１３の凹部１７の開口１７ａから突出して平バネ１８をガイドレール１２に圧接すれば、摩擦力によりスライダー１３は移動が停止され、スクリーン６は平巻きバネ８からの引っ張り力により緊張した状態に維持される。これにより、スクリーンの下端部を所望の位置まで停止でき、窓１の遮蔽面積を任意に設定できる。
【００３８】
このスクリーン６の停止位置で、開閉腕２８の基端部が軸着されている誘導ナット２１が螺子部２０ａの回転軸２０の端部側へ移動する方向に回転軸２０が回転するよう、この側の操作紐２５を引き下げ移動操作する。
誘導ナット２１が回転軸２０の端部側へ移動すると、開閉腕２８は開き始め、開閉腕２８の先端部に連結されたスクリーン６の下端部は窓１から離れる方向へ移動する。
このスクリーン６の下端部と窓との距離は、誘導ナット２１の螺子部２０ａへの移動距離によって任意に設定可能である。これにより、スクリーン６と窓１との間の空間の広さを調整して、空間の熱を効率よく換気できると共に日射角度にも対応可能である。
【００３９】
図５はスクリーン６の可動範囲を示す概略図であり、広範囲にスクリーン６を可動できるので、季節や時刻により変化する日差しの角度に対して十分に対応が可能である。
尚、スクリーン６の下端部を上昇させる時は高さ位置にもよるが、窓１の略中央部の高さ位置までで停止させるならば、開閉腕２８を畳まずに開閉腕２８が完全に開いたままの状況でも、そのまま前同様の操作でスライダー１３のストッパーを解除して、操作バー１５を持って上げ、所望の位置でストッパーによりスライダー１３を停止させることができる。
スクリーン６の下端部の停止位置と、停止位置においてのスクリーン６の下端部と窓１との距離は、状況に応じて調整すればよい。
【００４０】
以上、本発明を実施形態に基づき具体的に説明したが、本発明は上記実施形態に何ら限定されるものではなく、例えば回転軸２０の回転を操作紐２５に代えて電動で正逆回転するようにしても良く、窓の開口面積にもよるが、回転軸に回動用のハンドルを設けることもでき、又開閉腕２８に代えスライダー１３に窓の前後方向に伸縮するロッドを設けても良い。
又、ガイドレール１２の取り付け場所を外壁２に代え窓枠に取り付けることもできる等、本発明の趣旨を逸脱しない範囲内で種々の改良変形が可能である。
【図面の簡単な説明】
【００４１】
【図１】本発明窓の日射遮蔽装置の一実施の形態を示す全体斜視図である。
【図２】本発明窓の日射遮蔽装置の一実施の形態を示す一部省略した横断平面図である。
【図３】本発明窓の日射遮蔽装置の一実施の形態を示す一部省略した縦断側面図である。
【図４】本発明窓の日射遮蔽装置の部分断面図である。
【図５】本発明窓の日射遮蔽装置のスクリーンの可動範囲を示す概略図である。
【符号の説明】
【００４２】
１  窓
３  ロールスクリーン
６  スクリーン
７  巻取軸
８  平巻きバネ
９  縁部材
１２  ガイドレール
１３  スライダー
１４  溝
１５  操作バー
１５ａ  平坦部
１６  ハンドル
１７  凹部
１７ａ  開口
１８  平バネ
２０  回転軸
２０ａ  螺子部
２１  誘導ナット
２２  固定ガイド車
２３  上部滑車
２４  下部滑車
２５  操作紐
２６  回転止棒
２８  開閉腕
【図１】
2005273314.tif 000003
【図２】
2005273314.tif 000004
【図３】
2005273314.tif 000005
【図４】
2005273314.tif 000006
【図５】
2005273314.tif 000007